(57)【要約】【課題】組立性およびメンテナンス性を向上させるとともに、省エネルギーで高効率なエアコンを備える昇降機を提供する。【解決手段】冷媒を半液化状態に圧縮する圧縮機２２と、この圧縮機２２で圧縮した冷媒を液化状態に凝縮する凝縮器１６と、この凝縮器１６で凝縮した冷媒を気化させる蒸発器１４と、この蒸発器１４に、籠２内から吸い込んだ空気を通過させて、籠内に送風する送風機とからなるエアコンを備え、このエアコンにより籠内の室温を調整し、籠は、開閉扉部を除く側部のそれぞれを、着脱可能な複数のパネルで構成するとともに、パネルの一部は、空気の吸込口および吹出口を設けたエアコンパネルとし、このエアコンパネルの外側面にエアコンを縦列配置した。【選択図】図２
2012091908.tif 000002
【特許請求の範囲】
【請求項１】
冷媒を半液化状態に圧縮する圧縮機と、
該圧縮機で圧縮した前記冷媒を液化状態に凝縮する凝縮器と、
該凝縮器で凝縮した前記冷媒を気化させる蒸発器と、
該蒸発器に、籠内から吸い込んだ空気を通過させて、前記籠内に送風する送風機と、
からなるエアコンを備え、該エアコンにより前記籠内の室温を調整する昇降機において、
前記籠は、開閉扉部を除く側部のそれぞれを、着脱可能な複数のパネルで構成するとともに、前記パネルの一部は、空気の吸込口および吹出口を設けたエアコンパネルとし、該エアコンパネルの外側面に前記エアコンを縦列配置したことを特徴とする昇降機。
【請求項２】
前記エアコンパネルには、上部から順に、前記送風機と、前記蒸発器と、該蒸発器から生成する結露水を捕集する上部ドレンパンと、前記凝縮器と、該凝縮器から滴下する結露水を捕集する下部ドレンパンとを取付けたことを特徴とする、請求項１に記載の昇降機。
【請求項３】
前記凝縮器内の前記冷媒の冷却には、前記籠の移動時に発生する該籠への巻き込み風とともに、前記上部ドレンパンから滴下させる結露水を用いたことを特徴とする、請求項１に記載の昇降機。
【請求項４】
前記上部ドレンパンの底部には、複数の孔を形成したことを特徴とする、請求項２〜３に記載の昇降機。
【請求項５】
前記上部ドレンパンと、前記下部ドレンパンとは、ポンプを備える循環手段で接続したことを特徴とする、請求項２〜４に記載の昇降機。
【請求項６】
前記凝縮器は、前記冷媒の通路配管を上下方向１列に配置したことを特徴とする、請求項１に記載の昇降機。
【請求項７】
前記エアコンパネルは、前記籠内から着脱可能に備えることを特徴とする、請求項１に記載の昇降機。
【発明の詳細な説明】
【技術分野】
【０００１】
本発明は、エアコンで籠内の室温を調整する昇降機に関し、より詳細には、籠は、開閉扉部を除く側部のそれぞれを、着脱可能な複数のパネルで構成するとともに、パネルの一部を空気の吸込口および吹出口を設けたエアコンパネルとし、このエアコンパネルの外側面にエアコンを縦列配置した昇降機に関する。
【背景技術】
【０００２】
ビルや家屋などに設置される昇降機（エレベータ）には、エアコンを備えるものがある。このエアコンは、周知のように、冷媒を半液化状態に圧縮する圧縮機や、この圧縮機で圧縮した冷媒を液化状態に凝縮する凝縮器、この凝縮器で凝縮した冷媒を気化させる蒸発器などからなり、籠内から吸い込んだ空気を、蒸発器に通過させて冷却などし、籠内に送風して戻すことで、籠内の室温を調整するものである。そして、このような構成としては、籠の天井部分に、蒸発器や凝縮器などを平面的に配置したもの（例えば、特許文献１）や、籠側壁面の外側上部に取付けた筺体内の上部に蒸発器および下部に凝縮器を配置させたもの（例えば、特許文献２）がある。
【先行技術文献】
【特許文献】
【０００３】
【特許文献１】特開２０１０−１６３２２８号公報
【特許文献２】特開２００９−２１５０３３号公報
【発明の概要】
【発明が解決しようとする課題】
【０００４】
しかし、これら昇降機をメンテナンスする場合、特許文献１のような昇降機では、限られた昇降機のスペースの中で、籠上にエアコンが設置されていると、作業用スペースが狭くなるとともに複雑な設置形状になり、特許文献２のように、エアコンを籠側壁面の外側上部に取付けた昇降機でも、作業者は天井または床面下方からエアコンをメンテナンスしなければならず、作業性および安全性が損なわれる問題があった。また、特許文献１に記載の昇降機では、蒸発器で生成されたドレン水（結露水）を、凝縮器での冷媒冷却用に用いているものの、蒸発器から離れた位置の凝縮器下方まで結露水を搬送しなければならないうえ、この結露水を凝縮器に接触させるために、超音波振動子部といった別途複雑かつ高価な装置を用いなければならず、上記問題点に加え、コストがかかるという問題もあった。
【０００５】
従って、この発明の目的は、組立性およびメンテナンス性を向上させるとともに、省エネルギーで高効率なエアコンを備える昇降機を提供するものである。
【課題を解決するための手段】
【０００６】
このため、請求項１に記載の発明は、冷媒を半液化状態に圧縮する圧縮機と、該圧縮機で圧縮した前記冷媒を液化状態に凝縮する凝縮器と、該凝縮器で凝縮した前記冷媒を気化させる蒸発器と、該蒸発器に、籠内から吸い込んだ空気を通過させて、前記籠内に送風する送風機とからなるエアコンを備え、該エアコンによって前記籠内の室温を調整する昇降機において、前記籠は、開閉扉部を除く側部のそれぞれを、着脱可能な複数のパネルで構成するとともに、前記パネルの一部は、空気の吸込口および吹出口を設けたエアコンパネルとし、該エアコンパネルの外側面に前記エアコンを縦列配置したことを特徴とする。
【０００７】
請求項２に記載の発明は、請求項１に記載の昇降機において、前記エアコンパネルには、上部から順に、前記送風機と、前記蒸発器と、該蒸発器から生成する結露水を捕集する上部ドレンパンと、前記凝縮器と、該凝縮器から滴下する結露水を捕集する下部ドレンパンとを取付けたことを特徴とする。
【０００８】
請求項３に記載の発明は、請求項１に記載の昇降機において、前記凝縮器内の前記冷媒の冷却には、前記籠の移動時に発生する該籠への巻き込み風とともに、前記上部ドレンパンから滴下させる結露水を用いたことを特徴とする。
【０００９】
請求項４に記載の発明は、請求項２〜３に記載の昇降機において、前記上部ドレンパンの底部には、複数の孔を形成したことを特徴とする。
【００１０】
請求項５に記載の発明は、請求項２〜４に記載の昇降機において、前記上部ドレンパンと、前記下部ドレンパンとは、ポンプを備える循環手段で接続したことを特徴とする。
【００１１】
請求項６に記載の発明は、請求項１に記載の昇降機において、前記凝縮器は、前記冷媒の通路配管を上下方向１列に配置したことを特徴とする。
【００１２】
請求項７に記載の発明は、請求項１に記載の昇降機において、前記エアコンパネルは、前記籠内から着脱可能に備えることを特徴とする。
【発明の効果】
【００１３】
請求項１に記載の発明によれば、冷媒を半液化状態に圧縮する圧縮機と、この圧縮機で圧縮した冷媒を液化状態に凝縮する凝縮器と、この凝縮器で凝縮した冷媒を気化させる蒸発器と、この蒸発器に、籠内から吸い込んだ空気を通過させて、籠内に送風する送風機とからなるエアコンを備え、このエアコンにより籠内の室温を調整する昇降機において、籠は、開閉扉部を除く側部のそれぞれを、着脱可能な複数のパネルで構成するとともに、パネルの一部は、空気の吸込口および吹出口を設けたエアコンパネルとし、このエアコンパネルの外側面にエアコンを縦列配置したので、籠へのエアコン取付けが容易になるとともに、籠側部外側面へのエアコン設置位置の自由度を上げることができる。さらに、エアコンのメンテナンスを行う際には、籠内内側からパネル固定用ボルトまたはキーボックスなどを内側から開錠し取外すことで、その作業を容易に行うことができる。従って、組立性およびメンテナンス性を向上した昇降機を提供することができる。
【００１４】
請求項２に記載の発明によれば、エアコンパネルには、上部から順に、送風機と、蒸発器と、この蒸発器から生成する結露水を捕集する上部ドレンパンと、凝縮器と、この凝縮器から滴下する結露水を捕集する下部ドレンパンとを取付けたので、エアコンパネルの外側面に、エアコンを構成する大部分の装置を備えることとなり、このエアコンパネルを着脱させることで、昇降機の組立てやエアコンのメンテナンスなどの作業を容易に行うことができる。また、蒸発器で生成された結露水を、上部ドレンパンを介してこの蒸発器の直下に位置する凝縮器の冷媒通路配管表面に滴下させて管内の冷媒を効率的に冷却することができる。従って、組立性およびメンテナンス性を向上するとともに、省エネルギーで高効率なエアコンを備える昇降機を提供することができる。
【００１５】
請求項３に記載の発明によれば、凝縮器内の冷媒の冷却には、籠の移動時に発生するこの籠への巻き込み風とともに、上部ドレンパンから滴下させる結露水を用いたので、従来のように凝縮器ファンを別途必要とせず、凝縮器内の冷媒を効率的に冷却させることができる。従って、コストダウンを図るとともに、省エネルギーで高効率なエアコンを備える昇降機を提供することができる。
【００１６】
請求項４に記載の発明によれば、上部ドレンパンの底部には、複数の孔を形成したので、蒸発器から滴下し、上部ドレンパンに捕集された結露水を、凝縮器における冷媒通路管の長さ方向に均等に分散滴下させて、冷媒を効率的に冷却することができる。従って、省エネルギーで高効率なエアコンを備える昇降機を提供することができる。
【００１７】
請求項５に記載の発明によれば、上部ドレンパンと、下部ドレンパンとは、ポンプを備える循環手段で接続したので、一度凝縮器の冷媒冷却に用いた結露水を、再び凝縮器の冷媒冷却に再利用して、冷媒を効率的に冷却できるとともに、下部ドレンパン内に捕集する結露水の水量を抑制することができる。従って、省エネルギーで高効率なエアコンを備える昇降機を提供することができる。
【００１８】
請求項６に記載の発明によれば、凝縮器は、冷媒の通路管を上下方向１列に配置したので、凝縮器の奥行きを狭くして、籠側部の外側面に取付け可能とするとともに、籠移動に伴う籠への巻き込み風が、通路管の間隙を確実に通過でき、冷媒を効率よく冷却させることができる。従って、組立性およびメンテナンス性を向上するとともに、省エネルギーで高効率なエアコンを備える昇降機を提供することができる。
【００１９】
請求項７に記載の発明によれば、エアコンパネルは、籠内から着脱可能に備えるので、蒸発器や凝縮器などエアコンのメンテナンスを行う際に、作業者は、籠内からエアコンパネルを取外すことで安全かつ容易に作業を行うことができる。従って、メンテナンス性を向上させた昇降機を提供することができる。
【図面の簡単な説明】
【００２０】
【図１】本発明の一例を示す、昇降機におけるエアコンを備える籠の全体斜視図である。
【図２】エアコンの取付けを例示する籠の斜視図である。
【図３】カバーを取外して示した、蒸発器、凝縮機および上下ドレンパンの斜視図である。
【図４】エアコンパネルに取付けたエアコンユニットの側面模式図である。
【図５】籠内の空気の流れを示す、上方から見た籠内の斜視図である。
【図６】上部ドレンパンの斜視図である。
【図７】エアコンユニットの他の構成例を示す側面模式図である。
【発明を実施するための形態】
【００２１】
以下、図面を参照しつつ、この発明を実施するための最良の形態について詳述する。図  １は本発明の一例を示す、昇降機におけるエアコンを備える籠の全体斜視図、図２
はエアコンの取付けを例示する籠の斜視図、図３はカバーを取外して示した、蒸発器、凝縮機および上下ドレンパンの斜視図、図４はエアコンパネルに取付けたエアコンユニットの側面模式図、図５は籠内の空気の流れを示す、上方から見た籠内の斜視図である。
【００２２】
昇降機１は、図１に示すように、外側面にエアコン１０を備える、例えば長方形の籠２内に乗員を収容し、不図示の主ロープを巻き上げる巻上機によって籠２を昇降（前後進でもよい）させ、設定された行き先階に乗員を運搬するものである。この籠２の四辺からなる側部３は、三辺を形成する側面板４の上端部および下端部にそれぞれ天面板５および底面板６を設けるとともに、側部３の他の一辺には、図５に記載した開閉扉７が設置される。
【００２３】
そして、この側面板４は、一側面が、昇降方向に長さを有し、例えば両側部を湾曲形成した複数（図例では、開閉扉７裏面の側面板４は３枚、他の側面板４は２枚としたが、限定しない）のパネルｐから構成されており、それらパネルｐの両側部を図示しない連結具により隣り合うパネルｐに着脱自在に連結させている。なお、パネルｐは、例えばフェノール樹脂板などの汎用素材から構成されるものである。
【００２４】
そして、これら側面板４の一側面（図例では、開閉扉７に対向する側面板４）を構成する複数（図例では３枚）のパネルｐのうち、例えば、中央に位置するパネルｐは、エアコン１０を取付けるためのエアコンパネルＰとして、上部に籠２内空気のエアコン１０への吸込口８および、この吸込口８の下方にはエアコン１０で温度調節した空気を籠２内に吹き出す吹出口９が、それぞれルーバなどで形成される。
【００２５】
次に、エアコン１０は、図２に示すように、上述したエアコンパネルＰの外側面に取付けるエアコンユニット１１と、籠２の天面板５上面に取付けるコンプレッサーユニット２１とから構成される。
【００２６】
このエアコンユニット１１は、図２〜３に示すように、上部から順に、送風機１２と、ダクト１３と、蒸発器１４と、上部ドレンパン１５と、凝縮機１６と、下部ドレンパン１７とからなるもので、これらをエアコンパネルＰの外側面にそれぞれボルトなど締結具で取付けることで、これらエアコンユニット１１がエアコンパネルＰに一体的かつ縦列配置した構成とされる。なお、後述するように、蒸発器１４から発生するドレン水を下方に流せることと、昇降機１塔内機器との干渉を避けるために、エアコンユニット１１を薄型形状にしたものであれば、エアコンユニット１１を構成する各機器の設置順は、上記に限定されず、任意に設計することができる。
【００２７】
まず、送風機１２は、図４に示すように、吸込口８の前面に取付けられ、籠２内の空気を、吸込口８を介して吸い込むとともにダクト１３内を蒸発器１４に向けて誘導し、吹出口９を介して籠２内に吹き出すものであり、周知のクロスフロー式を用いることができる。なお、送風機１２は、ダクト１３に内装されている。
【００２８】
次に、ダクト１３内の下部であって、吹出口９の前面に設置した蒸発器１４は、図３に示したように、凝縮器１６で凝縮した冷媒を気化させる周知のものであり、ケース内に冷媒の通路管１４ａを、例えば蛇行的に配置（限定しない）し、上述したようにダクト１３内を通過してきた空気が、蒸発器１４の通路管１４ａに接触する際、冷媒の気化に伴い空気から熱を奪うことで、空気を冷却させるものである。なお、蒸発器１４は、ダクト１３に内設されている。
【００２９】
次に、蒸発器１４の下方に設置した上部ドレンパン１５は、蒸発器１４の幅より大きく、凝縮器１６の幅に略等しい幅を有し、図７に示すように、天面を開放するとともに、底面には、複数の孔ｈを形成した、直方体のステンレス製などの容器であり、蒸発器１４から生成する結露水を捕集し、かつ下方の凝縮機１６に滴下させるものである。
【００３０】
また、上部ドレンパン１５の下方に設置した凝縮機１６は、コンプレッサーユニット２１で圧縮した冷媒を液化状態に凝縮する周知のものであるが、本願発明の凝縮機１６では、この凝縮機１６をエアコンパネルＰの外側面上であって、籠２の昇降方向に長い形状とすることができる。このため、ケース内に、冷媒の通路管１６ａを上下方向１列に蛇行的に配置させることが可能となり、凝縮機１６の奥行きのサイズを小さくできることで、凝縮機１６を薄型形状にしたものである。なお、凝縮機１６の前面には、フィルターｆが着脱自在に覆設されている。
【００３１】
そして、凝縮機１６の下方に設置した下部ドレンパン１７は、凝縮器１６の幅に略等しい幅を有し、天面を開放した、直方体のステンレス製などの容器であり、直上の凝縮機１６から滴下する結露水を捕集するものである。
【００３２】
次に、コンプレッサーユニット２１は、冷媒を半液化状態に圧縮する圧縮機２２および冷媒中の水分や不純物を除去するレシーバ２３からなるそれぞれ周知のもので、籠２の天面板５上面にステーなどを介してボルトなどの締結具で取付けられる。
【００３３】
そして、圧縮機２２は、レシーバ２３を介して凝縮機１６の通路管１６ａに配管２２ａと、前記通路管１６ａは、蒸発器１４の通路管１４ａと、この通路管１４ａは、圧縮機２２の配管２２ｂとそれぞれ接続される。
【００３４】
さらに、本願発明のエアコンユニット１１では、下部ドレンパン１７と、上部ドレンパン１５とを、ポンプ１８を備える配管１９（循環手段２０）で接続している。具体的には、例えば、配管１９の一端部を下部ドレンパン１７の底部に取付けるとともに、配管１９の他端部を上部ドレンパン１５の容器内に設置し、配管１９の中途部にポンプ１８が介装される。
【００３５】
このような構成にすることで、籠２へのエアコン１０取付けが容易になるとともに、籠２側部外側面へのエアコン１０設置位置の自由度を上げることができる。特に、エアコンパネルＰの外側面に、エアコン１０を構成する大部分の装置を備えることとなり、このエアコンパネルＰを籠２内から着脱させることで、昇降機１の組立てやエアコン１０のメンテナンスなどの作業を容易に行うことができる。
【００３６】
ここで、籠２内のあたたまった空気を冷却（温度調節）する場合には、図５に示すように、送風機１２が、籠２内の空気を、吸込口８を介して吸い込むとともにダクト１３内を蒸発器１４に向けて誘導し、この空気を蒸発器１４の通路管１４ａに接触させる。そして、蒸発器１４において、通路管１４ａを流れる凝縮した液体冷媒を気化させる際、冷媒の気化潜熱により通過させた空気が冷却され、この冷却された空気が送風機１２により吹出口９を介して籠２内に戻される。
【００３７】
このとき、蒸発器１４の通路管１４ａでは、液体冷媒の気化に伴い結露水が発生するため、通路管１４ａから滴下するこれら結露水が、下方の上部ドレンパン１５内に捕集される。
【００３８】
一方、蒸発器１４で気化した冷媒は、配管２２ｂを介して圧縮機２２内に導入され、この圧縮機２２で圧縮されて高温高圧の半液体状態となり、レシーバ２３および配管２２ａを介して凝縮機１６に導入される。
【００３９】
凝縮機１６では、図６に示すように、上方の上部ドレンパン１５底部全般に亘り形成した複数の孔から通路管１６ａの長さ方向に均等に分散滴下する結露水により、通路管１６ａ内を流れる上述した半液体状態の冷媒が冷却されて、さらに冷媒の液化が進み、この液体冷媒が通路管１４ａを介して蒸発器１４内に導入される。
【００４０】
なお、凝縮機１６における通路管１６ａ内での冷媒の冷却には、上述した結露水を用いるとともに、籠２の昇降時（移動時）に発生するこの籠２への巻き込み風も用いられる。これは、図４に示すように、籠２が昇降する際、籠２に向かって巻き込む風が、フィルターｆを介して凝縮機１６内に吹き込んでくるため、この巻き込み風を結露水とともに通路管１６ａに接触させることで、より効率的に通路管１６ａ内の冷媒を冷却させることができる。
【００４１】
従って、従来のように凝縮機の前面に凝縮機ファンを設置する必要がなく、部品点数の削減および上述したように凝縮機１６を薄型形状にすることができ、凝縮機１６のエアコンパネルＰ外側面への設置を可能とした。
【００４２】
また、凝縮機１６の通路管１６ａ上に滴下し、通路管１６ａ内の冷媒を冷却させた結露水は、さらに下方に滴下し、下部ドレンパン１７内に捕集されるとともに、これら結露水は、下部ドレンパン１７内からポンプ１８により配管１９を介して上部ドレンパン１５内に循環搬送され、上部ドレンパン１５から滴下させて繰り返し凝縮機１６の冷却に用いられる。
【００４３】
このような構成にすることで、蒸発器１４で生成された結露水を、上部ドレンパン１５を介してこの蒸発器１４の直下に位置する凝縮機１６の冷媒通路管１６ａ表面に滴下させて通路管１６ａ内の冷媒を効率的に冷却することができる。
【００４４】
また、上部ドレンパン１５の底部には、複数の孔ｈを形成したので、蒸発器１４から滴下し、上部ドレンパン１５に捕集された結露水を、凝縮器１６における通路管１６ａの長さ方向に均等に分散滴下させて、通路管１６ａ内の冷媒を効率的に冷却することができる。
【００４５】
また、上部ドレンパン１５と、下部ドレンパン１７とは、ポンプ１８を備える循環手段２０で接続したので、一度凝縮器１６の冷媒冷却に用いた結露水を、再び凝縮器１６の冷媒冷却に再利用して、冷媒を効率的に冷却できるとともに、下部ドレンパン１７内の結露水を再利用するため、下部ドレンパン１７内に捕集する結露水の水量を抑制することができる。
【００４６】
つまり、凝縮器１６の冷媒冷却に用いた結露水は、その一部が蒸発するとともに、下部ドレンパン１７内の結露水を循環利用するため、下部ドレンパン１７内の結露水の水量を増加させることなく、下部ドレンパン１７からの結露水の流出を防ぎ、昇降機１の故障を防止することができる。
【００４７】
さらに、凝縮器１６は、通路管１６ａを上下方向１列に配置したので、凝縮器１６の奥行きを狭くして、籠２側部の外側面に取付け可能とするとともに、籠２の昇降（移動）に伴う籠への巻き込み風が、通路管１６ａの間隙を確実に通過でき、冷媒を効率よく冷却させることができる。
【００４８】
なお、上述の例では、上部ドレンパン１５の底部に、結露水を滴下させるための複数の孔ｈを形成したが、これら孔ｈの形成に限定されず、例えば、図示しない噴霧ノズルなどを設置することで、結露水を凝縮器１６に均等に散布して、凝縮器１６の冷媒を効率的に冷却させることができる。
【００４９】
なお、上述の例では、エアコンユニット１１を、籠２の側部３であって、開閉扉７に対向する側面板４を構成するパネルｐにおける中央のエアコンパネルＰの外側面に設置したが、エアコンユニット１１およびエアコンパネルＰはこの位置に限定されず、当該側面板４において、前記エアコンパネルＰに隣接するパネルｐをエアコンパネルＰとし、そのエアコンパネルＰにエアコンユニット１１を取付けたり、または、他の側部３の側面板４を構成するパネルｐの一つをエアコンパネルＰとし、そのエアコンパネルＰにエアコンユニット１１を取付けてもよい。
【００５０】
あるいは、隣接する２辺の側面板４の接続パネルｐどうしをエアコンパネルＰとし、そのエアコンパネルＰにエアコンユニット１１を取付けることもできる。この場合、エアコンユニット１１を構成する、送風機１２、ダクト１３、蒸発器１４、上部ドレンパン１５、凝縮機１６、下部ドレンパン１７は、それぞれ中途部をエアコンパネルＰどうしの接続角（略直角）に合わせて曲折させればよい。
【００５１】
また、コンプレッサーユニット２１は、上述の例では、エアコンユニット１１と離して、籠２の天面板５上面に設置したが、この位置に限定されず、例えば、底面板６に取付けたり、あるいはエアコンパネルＰに、外側面や内側面を問わずエアコンユニット１１とともに取付けてもよい。
【００５２】
次に、エアコンユニット１１は、上部の構成を変えることもできる。図７はエアコンユニットの他の構成例を示す側面模式図である。例えば、まず、図７（イ）に示すようにエアコンユニット１１´は、ダクト１３´内において、吸込口８´の前面から多少離れた位置に、上述したクロスフロー式の送風機１２´を設置し、この送風機１２´の直下であって、吹出口９´の前面に蒸発器１４´を設置してもよい。
【００５３】
また、図７（ロ）に示すようにエアコンユニット１１´´は、ダクト１３´´内において、吹出口９´´の前面に蒸発器１４´´を設置するとともに、この蒸発器１４´´のさらに前面にアキシャルファンなどの送風機１２´´を設置する。なお、この場合、吸込口８´´と吹出口９´´が上下に隣接しており、籠２内空気のショートサーキットを防止するため、吸込口８´´のルーバを上方向、吹出口９´´のルーバを下方向にそれぞれ向けて設置することが好ましい。
【００５４】
さらには、図７（ハ）に示すように、エアコンユニット１１´´´は、ダクト１３´´´において、吸込口８´´´の前面にアキシャルファンなどの送風機１２´´´を設置するとともに、吹出口９´´´の前面に蒸発器１４´´´を設置してもよい。
【００５５】
以上のような構成にしても、上述同様の効果を得ることができ、組立性およびメンテナンス性を向上させるとともに、省エネルギーで高効率なエアコンを備える昇降機１を提供することができる。
【００５６】
なお、上述のエアコン１０では、籠２内の空気を冷却する例を説明したが、このエアコン１０は、籠２内の空気を暖めることもできるが、周知の技術であるため、その説明は省略する。
【００５７】
以上詳述したように、本願発明の昇降機１は、冷媒を半液化状態に圧縮する圧縮機２２と、この圧縮機２２で圧縮した冷媒を液化状態に凝縮する凝縮器１６と、この凝縮器１６で凝縮した冷媒を気化させる蒸発器１４と、この蒸発器１４に、籠２内から吸い込んだ空気を通過させて、籠内に送風する送風機とからなるエアコンを備え、このエアコンにより籠内の室温を調整し、籠は、開閉扉部を除く側部のそれぞれを、着脱可能な複数のパネルで構成するとともに、パネルの一部は、空気の吸込口および吹出口を設けたエアコンパネルとし、このエアコンパネルの外側面にエアコンを縦列配置したものである。
【産業上の利用可能性】
【００５８】
本発明は、籠にエアコンを備える、あらゆる昇降機（エレベータ）に適用することができる。なお、この昇降機は、籠を地面に対して上下方向に昇降させるものに限定されず、前後方向に移動するものであってもよく、また、籠は乗員の搬送に限定されず、食品や動植物などを搬送するものでもよい。
【符号の説明】
【００５９】
１    昇降機
２    籠
３    側部
４    側面板
５    天面板
８    吸込口
９    吹出口
１０    エアコン
１１    エアコンユニット
１２    送風機
１３    ダクト
１４    蒸発器
１５    上部ドレンパン
１６    凝縮機
１７    下部ドレンパン
１８    ポンプ
１９    配管
２０    循環手段
２１    コンプレッサーユニット
２２    圧縮機
２３    レシーバ
ｈ    孔
Ｐ    エアコンパネル
ｐ    パネル
【図１】
2012091908.tif 000003
【図２】
2012091908.tif 000004
【図３】
2012091908.tif 000005
【図４】
2012091908.tif 000006
【図５】
2012091908.tif 000007
【図６】
2012091908.tif 000008
【図７】
2012091908.tif 000009